(57)【特許請求の範囲】
【請求項１】
水栓本体の左右両端間の中間部に設けたシャワー水出口と、シャワーホースを接続すべき接続口部とを連絡するための連絡配管を設け、該連絡配管の基端部と該シャワー水出口との連結構造を、該連絡配管の先端部が少なくとも予め設定した該水栓本体の左側の第一位置と右側の第二位置との何れか一方に択一的に位置できるものとするとともに、該先端部を該第一位置又は第二位置の何れかに位置させた状態で固定部材に固定し、且つ該先端部に前記接続口部を設けて該接続口部にシャワーホースを接続するようになしたことを特徴とする水栓装置。
【請求項２】
請求項１において、前記固定部材が前記水栓本体を覆うカバーであって、前記接続口部が該カバーの外部に露出する状態で設けられていることを特徴とする水栓装置。
【請求項３】
請求項１，２の何れかにおいて、前記連絡配管が前記固定部材への固定前の状態において前記シャワー水出口に水平回動可能に連結されていることを特徴とする水栓装置。
【請求項４】
請求項１，２，３の何れかにおいて、前記接続口部が、前記連絡配管とは別体をなすシャワーエルボからなっていることを特徴とする水栓装置。
【請求項５】
請求項４において、前記連絡配管の先端部が前記シャワーエルボとともに若しくは該シャワーエルボを接続するためのソケット状の継手具とともに前記固定部材を挾み込む状態に該固定部材に固定されていることを特徴とする水栓装置。
【発明の詳細な説明】
【０００１】
【発明の属する技術分野】
この発明は水栓装置に関し、詳しくはシャワー付水栓装置に関する。
【０００２】
【従来の技術及び発明が解決しようとする課題】
例えば浴室に設置される水栓装置は、一般に水栓本体にシャワーエルボが取り付けられて、そこにシャワーホースが接続された形態をなしている。
【０００３】
図１１はその一例を示している。
同図（Ａ）において２００は浴槽、２０２は洗い場床、２０４は壁面、２０６はカウンター、２０８はそのカウンター２０６前面に設けられた水栓本体、２１０はシャワーヘッド、２１２はシャワーヘッド２１０に一端部が接続されたシャワーホースである。
ここでシャワーヘッド２１０は、壁面２０４に設けられたシャワーフック２１４に掛止されて、壁面２０４に保持されるようになっている。
【０００４】
水栓本体２０８は、クランク脚２１６にてカウンター２０６に固定されている。そしてこの水栓本体２０８からは吐水管２１８が延び出しており、その先端の吐水口２２０から吐水可能とされている。
【０００５】
水栓本体２０８には、同図（Ｂ）に示しているように左右方向の中心部にシャワーエルボ２２２が取り付けられており、そのシャワーエルボ２２２に対して、上記シャワーホース２１２の他端部が接続されている。そして水栓本体２０８からの混合水がこのシャワーエルボ２２２，シャワーホース２１２を通じてシャワーヘッド２１０へと導かれるようになっている。
【０００６】
しかしながらこのようにシャワーエルボ２２２、即ちシャワーホース２１２が水栓本体２０８の左右方向中心部から延び出していると、そのシャワーホース２１２が吐水口２２０からの吐水の邪魔になることがある問題がある。
【０００７】
これに対して、シャワーエルボ２２２等シャワーホース２１２の接続口部を水栓本体２０８の右側又は左側に固定しておくと、上記問題は解決可能であるものの以下のような不都合を生じる。
【０００８】
即ち、浴室の形態には浴槽が水栓装置に対して右側に配置される場合（Ｌ仕様）と左側に配置される場合（Ｒ仕様）とがあり、この場合シャワーホース２１２の取回しの関係上、水栓装置としてＬ仕様，Ｒ仕様の２種類が必要となってしまう不都合が生じる。
【０００９】
【課題を解決するための手段】
本願の発明の水栓装置はこのような課題を解決するために案出されたものである。
而して請求項１の水栓装置は、水栓本体の左右両端間の中間部に設けたシャワー水出口と、シャワーホースを接続すべき接続口部とを連絡するための連絡配管を設け、該連絡配管の基端部と該シャワー水出口との連結構造を、該連絡配管の先端部が少なくとも予め設定した該水栓本体の左側の第一位置と右側の第二位置との何れか一方に択一的に位置できるものとするとともに、該先端部を該第一位置又は第二位置の何れかに位置させた状態で固定部材に固定し、且つ該先端部に前記接続口部を設けて該接続口部にシャワーホースを接続するようになしたことを特徴とする。
【００１０】
請求項２の水栓装置は、請求項１において、前記固定部材が前記水栓本体を覆うカバーであって、前記接続口部が該カバーの外部に露出する状態で設けられていることを特徴とする。
【００１１】
請求項３の水栓装置は、請求項１，２の何れかにおいて、前記連絡配管が前記固定部材への固定前の状態において前記シャワー水出口に水平回動可能に連結されていることを特徴とする。
【００１２】
請求項４の水栓装置は、請求項１，２，３の何れかにおいて、前記接続口部が、前記連絡配管とは別体をなすシャワーエルボからなっていることを特徴とする。
【００１３】
請求項５の水栓装置は、請求項４において、前記連絡配管の先端部が前記シャワーエルボとともに若しくは該シャワーエルボを接続するためのソケット状の継手具とともに前記固定部材を挾み込む状態に該固定部材に固定されていることを特徴とする。
【００１４】
【作用及び発明の効果】
上記のように請求項１の水栓装置は、水栓本体の左右両端間の中間部に設けたシャワー水出口とシャワーホースの接続口部とを連絡するための連絡配管を設けた上、その連絡配管を、その先端部が水栓本体の左側の第一位置と右側の第二位置との何れか一方に択一的に位置できるものとなし、そしてその先端部をそれら第一位置又は第二位置の何れかに位置させた状態で固定部材に固定し、且つその先端部に上記接続口部を設けるようになしたもので、この水栓装置によれば、シャワーホースを接続すべき接続口部を水栓本体の左側の第一位置と右側の第二位置との何れか一方に択一的に取り付けることができる。
【００１５】
即ちこの請求項１の水栓装置によれば、シャワーホースの接続口部を水栓本体の左右どちらにでも設定することができ、Ｌ仕様，Ｒ仕様何れの形態の浴室に対しても共通の水栓で対応することが可能となる。
【００１６】
またシャワーホースの接続口部を水栓本体の左側又は右側に位置させることができるため、シャワーホースが吐水の邪魔になるといった問題も解決することができる。
尚、請求項１の水栓装置において左側の第一位置と右側の第二位置とは左右対称位置に設定しておくことが望ましい。
【００１７】
本発明においては、カバーにて水栓本体を覆う形態で水栓装置を構成し、そしてそのカバーを上記固定部材として、そのカバーに上記連絡配管の先端部を固定するとともに、カバーの外側において上記シャワーホースの接続口部を設けるようにすることができる（請求項２）。
【００１８】
本発明においては、また、上記連結配管を、固定部材への固定前の状態においてシャワー水出口に対し水平回動可能に連結しておくことが望ましい（請求項３）。
このようにした場合、水栓装置の施工現場において、連絡配管を固定部材への固定前においてただ単に水平方向に回動させるだけで、その先端部を水栓本体の左側の第一位置又は右側の第二位置の何れか一方に簡単に択一的に位置させることができ、水栓装置の設置施工が容易である利点がある。
【００１９】
本発明においては、上記シャワーホースの接続口部をシャワーエルボにて構成することができる（請求項４）。更にその場合において上記連絡配管の先端部を、その先端部とシャワーエルボとにより若しくはシャワーエルボを接続するためのソケット状の継手具とともに固定部材を挾み込む状態で、かかる固定部材に固定するようになすことができる（請求項５）。
このようにすれば簡単且つ強固に連絡配管の先端部を固定部材に固定でき、同時にシャワーエルボを固定部材に取付状態とすることができる。
【００２０】
【実施例】
次に本発明の実施例を図面に基づいて詳しく説明する。
図１において、１０は洗い場床面（又はカウンター面）１２上に設けられた混合水栓装置で１４はカバー、１６はカバー１４の一部をなす前面化粧板、１８はその前面化粧板１６から前方に突き出す状態で設けられた温調ハンドル（温度調節ハンドル）、２０はカバー１４の右側方に突き出す状態で設けられた切替ハンドルである。
【００２１】
この切替ハンドル２０は、止水・吐水の切替えを行うとともに混合水の供給先を、カバー１４から下向きに突き出す状態で設けられた吐水口２２又はシャワーホース２４の側に切替操作する部分である。
【００２２】
図２及び図３に示しているように、カバー１４の内部には止水・吐水機能を有する水栓本体２６と、湯，水の混合を行う混合機能部２８とが隠蔽状態で収納されている。
本例ではこれら水栓本体２６と混合機能部２８とは別体構成とされており、後に詳述するように互いに分離可能に接続されている。
但し本発明は混合機能部が水栓本体に一体に形成されている場合においても勿論適用可能である。
【００２３】
図４は水栓本体２６の内部構造を示したもので、図中３０は水栓本体２６のハウジングである。このハウジング３０には給水口３２，給湯口３４，水出口３６，湯出口３８が設けられており、そして給水口３２から水出口３６に至る流路上に止水栓４０と逆止弁４２とが組み込まれている。また給湯口３４から湯出口３８に至る流路上にも同じく止水栓４０，逆止弁４２が組み込まれている。
【００２４】
これら水出口３６及び湯出口３８から流出した水と湯とは、上記混合機能部２８で混合され、そして混合水が混合機能部２８から混合水入口４４を通じて水栓本体２６へと再び流入する。
流入した混合水は切替弁部４６を経由してシャワー水出口４８又は吐水口出口５０へと導かれる。
【００２５】
図５は切替弁部４６の構造を詳しく示している。
図５において５２，５４はシャワー側流入口５６，吐水口側流入口５８をそれぞれ開閉する弁体で、スプリング６０により互いに逆方向に弾発されている。
６２はそれら弁体５２，５４に対し軸方向に相対摺動可能に嵌合された、頭６４付きの軸体で、スリーブ６６にねじ固定されている。
【００２６】
このスリーブ６６には、切替ハンドル２０と一体に回転する雄ねじ軸６８が螺合されており、切替ハンドル２０の回転操作に基づいてスリーブ６６が軸方向にねじ送り作用で前進又は後退させられるようになっている。
【００２７】
而してスリーブ６６が図５中左方向に前進させられると、弁体５４が左向きに一体に移動して吐水口側流入口５８を開放し、混合水を吐水口出口５０へと導く。また逆にスリーブ６６が右向きに後退運動させられると、弁体５２が軸体６２と一体に右向きに移動してシャワー側流入口５６を開放し、混合水をシャワー水出口４８へと導く。
【００２８】
図６は上記混合機能部２８の内部構造を詳しく示したもので、図中６９は混合機能部２８のハウジングであり、その内部には感温伸縮体７０が組み込まれている。
【００２９】
感温伸縮体７０には弁体７２が固設されており、感温伸縮体７０の伸縮動作に伴ってこの弁体７２が軸方向、即ち図６中上下方向に位置移動し、水流入開口７４及び湯流入開口７６の開度を狭く又は広く変化させる。
【００３０】
ここで水流入開口７４及び湯流入開口７６は、それぞれ水栓本体２６から送られてきた水と湯とを混合室７８内部に流入させるもので、この混合室７８内部の混合水が、ハウジング６９に形成された混合水出口８０を通じて水栓本体２６へと戻される。
【００３１】
尚、図中８２は温調ハンドル１８と一体に回転する操作軸で、この操作軸８２にスリーブ８４が螺合されており、操作軸８２の回転に伴うねじ送り作用でスリーブ８４が軸方向に進退させられ、以て温度設定及びその変更が行われる。
【００３２】
図６に示しているように、上記混合機能部２８のハウジング６９には水流入口８６及び湯流入口８８が形成されており、そしてこれら水流入口８６及び湯流入口８８に連通する状態で、ハウジング６９から管状の接続口９０が突き出している。
【００３３】
一方水栓本体２６のハウジング３０からは、水出口３６及び湯出口３８に連通する状態で管状の接続口９２（図９参照）が突き出しており、そしてそれら接続口９０及び９２が接続管９４にて互いに連絡されている。
【００３４】
即ち、水栓本体２６の水出口３６，湯出口３８からの水及び湯が、接続管９４及び混合機能部２８側の接続口９０を通じて混合機能部２８のハウジング６９内部に流入するようになっている。
【００３５】
而して本例において、これら接続口９０，９２と接続管９４との接続方式はクイックジョイント方式とされている。
詳しくは、図１０（Ａ）に示しているように接続口９０，９２と接続管９４との何れか一方（この例では接続管９４の側）にフランジ９６と嵌入部９８とが設けられて、その嵌入部９８の外周面にシール部材としてのＯリング１００が装着される一方、他方にはフランジ９６と、このフランジ９６に続く環状溝１０２が設けられ、接続管９４の嵌入部９８を接続口９０，９２の内部に嵌入させた状態で、それらが金属製の弾性クリップ１０４にて互いに軸方向に連結されている。
【００３６】
ここで弾性クリップ１０４は板ばね材を曲げ形成したもので、リング状部１０６と、嵌込用開口１０８と、その開口１０８に続いてハの字状に開いたガイド部１１０と、幅方向中間部に形成された係入溝１１２とを有している。
【００３７】
この接続方式の場合、同図（Ｂ）に示しているように開口１０８を通じて接続管９４及び接続口９０，９２にまたがるように弾性クリップ１０４を嵌め合わせ、そして一対のフランジ９６を弾性クリップ１０４の係入溝１１２内部に係入させることで、接続管９４と接続口９０，９２とをワンタッチで簡単に接続することができる。
或いはまた、開口１０８を通じて弾性クリップ１０４を取り外すことによって、接続管９４と接続口９０，９２とを切り離すことができる。
【００３８】
混合機能部２８のハウジング６９からは、図９に示しているように上記混合水出口８０に連通する状態で管状の接続口１１４が下向きに突き出している。
また一方水栓本体２６からは、混合水入口４４に連通する状態でハウジング３０から接続口１１６が上向きに突き出しており、そしてそれら一対の接続口１１４と１１６とが、図１０と同様のクイックジョイント方式で互いに分離可能に接続されている。
【００３９】
尚、この例では接続口１１６の側に嵌入部９８が設けられていてそこにＯリング１００が装着され、かかる嵌入部９８が混合機能部２８側の接続口１１４の内部に嵌入する状態で、それら一対の接続口１１４，１１６が接続されている。
【００４０】
上記水栓本体２６の給水口３２と給湯口３４とには、フレキシブル管からなる供給管１１８（図２，図３，図７，図９参照）が連結されており、それら供給管１１８を通じて水栓本体２６内部に水と湯とが供給されるようになっている。
【００４１】
水栓本体２６の前記シャワー水出口４８は、水栓本体２６の左右方向中間部に位置しており、そのシャワー水出口４８から、図７に示しているように管状の接続口１２０が下向きに突き出している。そしてその接続口１２０に対して、Ｌ字状をなす連絡配管１２２の上向きの基端部が水平回動可能な状態でねじ結合されている。
【００４２】
このＬ字状の連絡配管１２２は、シャワー水出口４８とカバー１４の外部のシャワーエルボ（接続口部）１２４とを連絡するためのもので、その先端部がカバー１４の左側壁部１４Ａ又は右側壁部１４Ｂに形成された開口１２６Ａ又は１２６Ｂにおいて、ソケット状の継手具１２８とともにカバー１４を内外両側から挾み込む状態に固定されている。
【００４３】
即ち、平面視において１８０°隔たった左側の第一位置と右側の第二位置との何れか一方において、Ｌ字状の連絡配管１２２の先端部がカバー１４に固定されている。
【００４４】
このソケット状の継手具１２８は、図８にも示しているように全体として筒形状をなしており、その小径部１３０がＬ字状の連絡配管１２２の先端部内周面にねじ結合されている。またカバー１４の外部の大径部１３２の内周面に対して、シャワーエルボ１２４がねじ結合されている。尚シャワーエルボ１２４は上下方向に回動可能である。
【００４５】
本例の混合水栓装置１０の場合、Ｌ字状の連絡配管１２２を上向きの基端部周りに回動させて先端部を左向きの状態とし、そしてその先端部をソケット状の継手具１２８とともにカバー１４の左側壁部１４Ａに固定した上で、シャワーエルボ１２４を継手具１２８にねじ込接続することで、かかるシャワーエルボ１２４を水栓本体２６の、詳しくはカバー１４の左側の位置に取り付けることができる。即ちシャワーホース２４を、カバー１４の外部且つ左側の部分から延び出させることができる
【００４６】
一方これとは逆に連絡配管１２２を図７中右向きに回動させて、その先端部をカバー１４の右側壁部１４Ｂに対向させ、そしてソケット状の継手具１２８を右側の開口１２６Ｂを通じて連絡配管１２２の先端部にねじ結合することで、シャワーエルボ１２４を水栓本体２６及びカバー１４に対して右側の位置に取り付けることができる。即ちシャワーホース２４を右側の位置から延び出させることができる。
【００４７】
ここでシャワーエルボ１２４は、水栓装置に対して右側に浴槽が配置される場合には図７中実線で示すようにシャワーエルボ１２４を左側に取り付けることとなる。また水栓装置に対して左側に浴槽が配置される場合には、右側の位置においてシャワーエルボ１２４を取り付けることとなる。
【００４８】
このように本例の混合水栓装置１０は、水栓本体２６の左右方向中間部に設けたシャワー水出口４８とシャワーホース２４の接続口部としてのシャワーエルボ１２４とを連絡するための連絡配管１２２をカバー１４の内部に設けた上、その連絡配管１２２を水平回動可能となし、そしてその先端部を水栓本体２６の左側の第一位置と右側の第二位置との何れか一方に択一的に位置させた状態でカバー１４に固定してシャワーエルボ１２４を取り付けるようになしたもので、この混合水栓装置１０によれば、シャワーホース２４の接続口部としてのシャワーエルボ１２４を、水栓本体２６の左右どちらにでも設定することができ、Ｌ仕様，Ｒ仕様何れの形態の浴室に対しても共通の混合水栓装置１０で対応することができる。
【００４９】
またシャワーエルボ１２４を水栓本体２６の左側又は右側に位置させることができるため、シャワーホース２４が吐水口２２からの吐水の邪魔になるといった問題も解決することができる。
尚、本例において左側の第一位置と右側の第二位置とは左右対称位置に設定されている。
またシャワーエルボ１２４の取付けに用いられない側のカバー１４の開口１２６Ｂ又は１２６Ａは盲蓋にて閉鎖しておくのが良い。
【００５０】
本例の混合水栓装置１０の場合、Ｌ字状の連絡配管１２２をシャワー水出口４８に対して水平回動可能に連結しているため、施工現場において連絡配管１２２をシャワー水出口４８から外すことなく、接続状態を保ったままこれを回動させるだけで、その向きを左向きにも、また右向きにもできる利点がある。
従って水栓装置の施工現場において、状況に応じ連絡配管１２２を左向きにも、また右向きにも容易に配向させ得て、シャワーエルボ１２４を左側にも、また右側にも簡単に取り付けることができる。
【００５１】
以上本発明の実施例を詳述したがこれはあくまで一例示である。
例えば本発明は他の形態の水栓装置にも適用可能であるなど、その主旨を逸脱しない範囲において種々変更を加えた形態で構成可能である。
【図面の簡単な説明】
【図１】本発明の一実施例である水栓装置の斜視図である。
【図２】図１の水栓装置のカバーを切り欠いて内部を示した側面図である。
【図３】図１の水栓装置のカバーを切り欠いて示した正面図である。
【図４】図１の水栓装置における水栓本体の平面断面図である。
【図５】図４の水栓本体の要部の拡大図である。
【図６】図１の水栓装置における混合機能部の正面断面図である。
【図７】図１の水栓装置における連絡配管と周辺部の図である。
【図８】図７の連絡配管と周辺部材の接続構造の分解図である。
【図９】図１の水栓装置における各部材の接続構造を分解して示す図である。
【図１０】図９の接続構造の要部を拡大して示す図である。
【図１１】従来の水栓装置を浴室への設置状態で示す図である。
【符号の説明】
１０  混合水栓装置
１４  カバー
２４  シャワーホース
２６  水栓本体
４８  シャワー水出口
１２２  連絡配管
１２４  シャワーエルボ（接続口部）
１２８  継手具
【図１】
0003563917.tif 000002
【図２】
0003563917.tif 000003
【図３】
0003563917.tif 000004
【図４】
0003563917.tif 000005
【図５】
0003563917.tif 000006
【図６】
0003563917.tif 000007
【図７】
0003563917.tif 000008
【図８】
0003563917.tif 000009
【図９】
0003563917.tif 000010
【図１０】
0003563917.tif 000011
【図１１】
0003563917.tif 000012